(57)【要約】【課題】甲被部の大きさを足の甲の形態に適正かつ容易に対応させることができ、しかも、甲被部に無理な力がかかっても甲被部が外れて脱落することのない履物を提供する。【解決手段】底部２上に足の出し入れが可能なように甲被部が設けられて成る。甲被部は、足の甲を外側面から上面にかけて覆う外被部３Ｂと、足の甲を内側面から上面にかけて覆う内被部３Ａとで構成される。外被部３Ｂの前後位置には舌状片３０，３１がそれぞれ突設される。内被部３Ａの内部には、各舌状片３０，３１の挿脱が可能な入口３２，３３を有する空間部がそれぞれ形成される。各舌状片３０，３１の先端部は内被部３Ａの空間部内に設けられた伸縮可能な弾性部材４，４に接続されている。甲被部３上の各舌状片３０，３１の位置には、弾性部材４の伸び許容量を規制するための規制手段５，６がそれぞれ設けられている。【選択図】図２
2006198018.tif 000002
【特許請求の範囲】
【請求項１】
底部上に足の出し入れが可能なように甲被部が設けられて成る履物において、前記甲被部は、足の甲を外側面から上面にかけて覆う外被部と、足の甲を内側面から上面にかけて覆う内被部とで構成され、前記外被部と内被部とのいずれか一方には、その前後位置に舌状片がそれぞれ突設され、他方の内部には、各舌状片の挿脱が可能な入口を有する空間部が形成されるとともに、各舌状片の先端部は前記空間部内に設けられた伸縮可能な弾性部材にそれぞれ接続されており、前記甲被部上の各舌状片の位置には、前記弾性部材の伸び許容量を規制するための規制手段がそれぞれ設けられて成る履物。
【請求項２】
前記規制手段は、内被部と外被部とのいずれか一方に取り付けられるベルトと、他方に取り付けられる環状の留め金具とから成り、ベルトの表面には、ベルトを前記留め金具を通して折り返したときの対向位置に、面ファスナの雄部と雌部とが装着されている請求項１に記載された履物。
【請求項３】
前記規制手段は、内被部と外被部とのそれぞれに設けられる紐通し孔と、各紐通し孔に通されて両端部が結ばれる紐とから成る請求項１に記載された履物。
【請求項４】
前記内被部の後端部と外被部の後端部との間に、足の踵の後面に引っ掛けられる伸縮可能なベルトが設けられている請求項１に記載された履物。
【発明の詳細な説明】
【技術分野】
【０００１】
この発明は、サンダルのような履物に関し、特に、足の甲の形態に対応させることが可能な履物に関する。
【背景技術】
【０００２】
従来のサンダルは、底部上に足の出し入れが可能なように甲被部が設けられたものである。ところで、足の甲の形態は人によって異なるため、甲被部の大きさが固定された従来のサンダルではどの着用者にも快適な履き心地を補償することは困難である。この課題を解消するために、甲被部の大きさを甲の高さや幅などの形態に応じて調節することが可能なサンダルが提案された（例えば、特許文献１参照）。このサンダルは、甲被部として、底部の一側縁に取り付けられた第１の甲覆ベルトと、底部の他側縁に取り付けられた第２の甲覆ベルトとを備えており、各甲覆ベルトの先端部と他の甲覆ベルトの基端部とを面ファスナーによって着脱可能な構成となっている。この構成によると、各甲覆ベルトの先端部と他の甲覆ベルトの基端部との接続位置を変更することにより甲被部の大きさ（長さ）が調節可能である。
【０００３】
【特許文献１】登録実用新案第３０５７７７９号公報
【発明の開示】
【発明が解決しようとする課題】
【０００４】
しかしながら、上記した構成のサンダルは、甲被部の大きさを足の甲の形態に対応させることが可能であるものの、甲被部を小さめに設定すると、窮屈で圧迫感があり、履き心地がきわめて悪くなる。一方、甲被部を大きめに設定すると、サンダルが脱げやすく、歩行しづらくなる。従って、甲被部の長さ調節が容易でなく、長さの設定に時間がかかるという問題がある。また、甲被部に無理な力が掛かったとき、その力の作用を受けて甲覆ベルトが外れ、サンダルが脱落するおそれがある。さらにまた、各甲覆ベルトを外したまま放置しておくと、甲覆ベルトの裏面が汚損されるおそれもある。
【０００５】
この発明は、上記した問題に着目してなされたもので、甲被部の大きさを足の甲の形態に適正かつ容易に対応させることができ、しかも、甲被部に無理な力がかかっても甲被部が外れて脱落することのない履物を提供することを目的とする。
【課題を解決するための手段】
【０００６】
この発明による履物は、底部上に足の出し入れが可能なように甲被部が設けられたもので、前記甲被部は、足の甲を外側面から上面にかけて覆う外被部と、足の甲を内側面から上面にかけて覆う内被部とで構成されている。前記外被部と内被部とのいずれか一方には、その前後位置に舌状片がそれぞれ突設され、他方の内部には、各舌状片の挿脱が可能な入口を有する空間部が形成されるとともに、各舌状片の先端部は前記空間部内に設けられた伸縮可能な弾性部材にそれぞれ接続されている。前記甲被部上の各舌状片の位置には、前記弾性部材の伸び許容量を規制するための規制手段がそれぞれ設けられている。
【０００７】
この発明の上記した構成において、前記の「弾性部材」はゴムなどの弾性材料を用いて形成されたベルト状やひも状のものなどであって、種々の態様のものを使用できる。
【０００８】
また、前記の「規制手段」には種々の形態があるが、その一は、内被部と外被部とのいずれか一方に取り付けられるベルトと、他方に取り付けられる環状の留め金具とから成るものである。前記ベルトの表面には、ベルトを前記留め金具を通して折り返したときの対向位置に、面ファスナの雄部と雌部とが装着されている。
この規制手段は、上記したベルトを用いたものに限らず、紐を用いたものであってもよい。この場合、内被部と外被部とのそれぞれに設けられる紐通し孔と、各紐通し孔に通されて両端部が結ばれる紐とで規制手段が構成される。
【０００９】
この発明の好ましい実施態様においては、前記内被部の後端部と外被部の後端部との間に、足の踵の後面に引っ掛けられる伸縮可能なベルトが設けられている。この実施態様によると、底部と甲被部との空間より足が抜けるのが防止される。
【００１０】
上記した構成の履物を履くとき、底部上の甲被部内に足の差し入れると、足の甲の形態に応じた長さだけ弾性部材が伸びる。この伸び量だけ空間部より各舌状片が抜け出るので、内被部と外被部との間が開かれ、甲被部が足の甲の高さおよび幅に応じた大きさとなる。この状態で規制手段により弾性部材の伸び許容量を若干の余裕をもたせて調整する。
履物を履いた状態では、弾性部材の復元力が内被部と外被部との間に引っ張り力として作用するので、足の甲は甲被部によって加圧状態で保持されるものの、甲被部は拡縮可能であるので、圧迫感がなく、快適な履き心地が得られる。また、甲被部に無理な力が掛かっても、弾性部材が伸びるので、従来例のように甲被部が外れてサンダルが脱落するなどのおそれはない。さらに、規制手段により弾性部材の伸び許容量が設定されているので、必要以上に弾性部材が伸びて甲被部が拡開することもなく、履物が脱げて歩行に支障をきたすこともない。さらにまた、甲被部が外れることがないので、甲被部の裏面が汚損することもない。
【発明の効果】
【００１１】
この発明によると、甲被部の長さを足の甲の形態に適正かつ容易に対応させることができる。しかも、甲被部に無理な力がかかっても甲被部が外れて脱落することがない。さらに、甲被部が外れることがないので、甲被部の裏面が汚損されることもない。
【発明を実施するための最良の形態】
【００１２】
図１は、この発明の一実施例であるサンダル１の外観を示す。なお、図示のサンダル１は右足用であるが、左足用についても同様の構成であり、ここでは図示並びに説明を省略する。
図示例のサンダル１は、外反足の矯正に有効な構成のもので、足裏を支持する底部２と、底部２上に足の出し入れが可能なように設けられる甲被部３とから成る。甲被部３は、足の甲を固定するためのもので、図２〜図４に示すように、足の甲を内側面から上面にかけて覆う内被部３Ａと、足の甲を外側面から上面にかけて覆う外被部３Ｂとで構成されている。なお、図１において、３５は内被部３Ａに形成されている通気のための開口部である。
【００１３】
前記外被部３Ｂの前後の各位置には、先端に向けて細い舌状片３０，３１がそれぞれ突設されている。前記内被部３Ａの内部には、各舌状片３０，３１の挿脱が可能な入口３２，３３を有する空間部３４が形成されている。各舌状片３０，３１の先端部には伸縮可能な帯状の弾性部材４，４の一端が接続され、各弾性部材４の他端が内被部３Ａの空間部３４の奥の位置に固定されている。このように内被部３Ａと外被部３Ｂとが前後二カ所で弾性部材４，４を介して連結されることにより、甲被部３が足の大きさに応じて拡縮するものである。
【００１４】
なお、図２は弾性部材４，４の引っ張り力に抗して各舌状片３０，３１を引き出した状態を示している。また、図３および図４は、弾性部材４，４の引っ張り力が各舌状片３０，３１に作用して各舌状片３０，３１の先端部が空間部３４に引き入れられた状態を示している。なお、図４において、一点鎖線は底板２上の甲被部３内に足が挿入されたときの状態を示す。
【００１５】
前記甲被部３上の各舌状片３０，３１の位置には第１、第２の各規制手段５，６がそれぞれ設けられている。
第１の規制手段５は、舌状片３０の位置で甲被部３を固定するとともに、その舌状片３０を支持する前記弾性部材４の伸び許容量を規制するためのものであり、外被部３Ｂの前部位置に取り付けられた固定ベルト７と、内被部３Ａの前部位置に取り付けられた環状の留め金具８とから成る。前記留め金具８は前記固定ベルト７を通すことが可能な大きさを有しており、内被部３Ａの表面に逢着された取付布１４の先端に取り付けられている。
前記固定ベルト７の上面には基端部に面ファスナ９のループ状の雌部が、先端部に面ファスナ９の鉤状の雄部が、それぞれ装着されている。固定ベルト７を留め金具８に通して折り返し、面ファスナ９の雄部と雌部とを適所で噛み合わせて止着することにより、固定ベルト７によって甲被部３の前部が固定され、かつ舌状片３０に接続された弾性部材４の伸び許容量が設定される。
【００１６】
第２の規制手段６は、舌状片３１の位置で甲被部３を固定するとともに、その舌状片３１を支持する前記弾性部材４の伸び許容量を規制するためのものであり、内被部３Ａおよび外被部３Ｂの後部位置にそれぞれ逢着された先端に紐通し孔１０を有する帯状布１１と、各帯状布１１の紐通し孔１０に通されて両端部が結ばれる紐１２とから成る。前記紐通し孔１０は紐１２を通すことが可能な径を有しており、前記紐１２を内被部３Ａおよび外被部３Ｂの各紐通し孔１０を通して両端部を結び付けることにより、紐１２によって甲被部３の後部が固定され、かつ舌状片３１に接続された弾性部材４の伸び許容量が設定される。
【００１７】
さらに、内被部３Ａおよび外被部３Ｂの後端部には、伸縮可能な保持ベルト１３の両端部が取り外し可能なように釦止めされている。この保持ベルト１３を足の踵の後面に引っ掛けることにより甲被部３からの足の抜けが防止される。
【００１８】
図５は、上記したサンダル１の底部２の構成を示すもので、アウトソール２０とミッドソール２２とインナーソール２１とを上下に積層して形成されている。
前記ミッドソール２２は、クッション性を有するソール本体２３と、このソール本体２３の踵部の下面に設けられる傾斜板２４とで構成されている。前記傾斜板２４は、ソール本体２３より硬いクッション材により形成され、ソール本体２３の踵部の下面に接着剤により接合されている。この実施例では、ソール本体２３と傾斜板２４とは硬さが異なるエチレン−酢酸ビニル共重合体（ＥＶＡ）のような多孔質樹脂を用いて形成されている。
【００１９】
前記傾斜板２４の上面には、図６に示すように、外側へ低く傾斜する傾斜面２４ａが形成されており、一方、前記ソール本体２３の踵部の下面には前記傾斜板２４の傾斜面２４ａに沿う傾斜面２３ａが形成されている。傾斜板２４の傾斜面２４ａとソール本体２３の傾斜面２３ａとは重ねられ、両者は接着剤によって一体接合される。
【００２０】
前記傾斜板２４の傾斜面２４ａは水平面ｈに対する傾斜角度θが２〜９度に設定されるもので、この実施例では前記傾斜角度θを傾斜板２４の全長にわたってほぼ７度に設定している。また、この実施例の傾斜板２４は、その厚みを後端側が厚く、前端側にかけて次第に薄くなるように形成することにより、前端縁に生じる段差を小さくし、また、前足部に対して踵部が高くなるように、底部２をヒールアップしている。
【００２１】
上記したミッドソール２２のソール本体２３の上面は凹面状になっており、この凹面上にインナーソール２１が接合支持されている。
前記インナーソール２１は、シリコンやポリプロピレンを原料にした低反発弾性体により形成され、表面全体がメッシュ地２６により被覆されている。このインナーソール２１の踵部の上面には、足の踵を支持する凹部２１ａが形成されている。この凹部２１ａは、図７に示すように、平面形状が略矩形状であり、全体が略同一深さに設定されている。凹部２１ａ内にはインナーソール２１より柔軟な踵支持板２５が嵌め込んで接合してあり、踵支持板２５の表面がソール本体２３の表面よりわずかに突出している。前記踵支持板２５は、インナーソール２１と同じ低反発素材を用いて構成してもよいが、ポリウレタン樹脂を組成とした発泡体、すなわち、低反発弾性ウレタンフォームを用いて構成することもできる。
なお、凹部２１ａには必ずしも踵支持板２５を装着する必要はないが、踵支持板２５を用いない場合は、凹部２１ａの開口縁や底周縁は曲面状に形成するのが望ましい。
【００２２】
前記インナーソール２１の前足部の上面には、足の中足骨の骨頭部が当たる位置に、面状に盛り上がる凸部２１ｂが形成されている。この凸部２１ｂは、底部２のヒールアップに伴って発生する足の中足骨の骨頭部にかかる負担を軽減するために形成されている。
【００２３】
図８は、底部２を裏面側より見た図であり、アウトソール２０の構成を示している。
図示例のアウトソール２０は、ミッドソール２２の裏面に接合された複数枚（図示例では４枚）の接地板２７Ａ〜２７Ｄにより構成されている。各接地板２７Ａ〜２７Ｄは、例えばＳＢＲ（スチレン・ブタジエンゴム）などのゴム配合物またはエラストマー配合物により形成され、表面には滑り止めのための切り溝２８や溝状または突状の模様４０が形成されている。
前記ミッドソール２２のソール本体２３の裏面には、各接地板２７Ａ〜２７Ｄの境界部分に、底部２が屈曲し易いように、Ｖ字状の溝２９が斜め方向に形成されている。
【００２４】
上記した構成のサンダル１を履くとき、底部２上の甲被部３内に足の差し入れると、足の甲の形態に応じた長さだけ前後位置の弾性部材４，４が伸びる。この伸び量だけ内被部３Ａの空間部３４より外被部３Ｂの各舌状片３０，３１が抜け出るので、内被部３Ａと外被部３Ｂとの間が開き、甲被部３が足の甲の高さおよび幅に応じた長さとなる。この状態において、各弾性部材４，４の伸び許容量を若干の余裕をもたせるようにして、第１の規制手段５を構成する固定ベルト７を締め、第２の規制手段６を構成する紐１２を結んで甲被部３を前後で固定する。
【００２５】
サンダル１を履いた状態では、前後位置において弾性部材４の復元力が外被部３Ｂに作用して内被部３Ａに向けて引っ張るので、足の甲は甲被部３によって加圧状態で保持されるものの、甲被部３は拡縮可能であるので、圧迫感がなく、快適な履き心地が得られる。また、甲被部３に無理な力が掛かっても、弾性部材４が伸びるので、従来例のように甲被部が外れてサンダルが脱落するなどのおそれはない。さらに、規制手段５，６により弾性部材４の伸び許容量が設定されているので、必要以上に弾性部材４が伸びて甲被部３が拡開することもなく、サンダル１が脱げて歩行に支障をきたすこともない。さらにまた、甲被部３が外れることがないので、甲被部３の裏面が汚損されることもない。
【００２６】
また、足が底部２上に固定されたとき、足の踵はインナーソール２１の踵部に設けられた踵支持板２３上に支持される。踵支持板２３は足の荷重により踵の形状に沿って凹部２１ａ内で圧縮変形するので、踵は凹部２１ａ内に嵌まった状態で安定支持される。
足の荷重はインナーソール２１およびミッドソール２２のソール本体２３を圧縮変形させ、傾斜板２４の傾斜面２４ａに作用する。傾斜板２４の上面は外側へ低く傾斜する傾斜面２４ａになっているので、図６に示すように、荷重に対する傾斜面２４ａからの抗力Ｎの外向きの水平分力Ｎｘが外反足を矯正する力として作用するとともに、オーバープロネーション（超外反運動）の発生を抑制する。
【００２７】
また、前記底部２は、前足部に対して踵部がヒールアップされているので、外反足によるアキレス腱や腓腹筋などの下腿部の負担が取り除かれる。さらに、インナーソール２１の前足部の上面には、足の中足骨の骨頭部が当たる位置に、面状に盛り上がる凸部２１ｂが形成されているので、ヒールアップに伴う代償として発生する中足骨骨頭部の負担が軽減される。
【図面の簡単な説明】
【００２８】
【図１】この発明にかかるサンダルの外観を示す斜視図である。
【図２】図１のサンダルを前方より見た斜視図である。
【図３】サンダルの甲被部を拡大して示す平面図である。
【図４】図３のＡ−Ａ線に沿う断面図である。
【図５】底部の縦断面図である。
【図６】図５のＢ−Ｂ線に沿う底部の断面図である。
【図７】図１のサンダルのインナーソールの平面図である。
【図８】図１のサンダルのアウトソールの底面図である。
【符号の説明】
【００２９】
２    底部
３    甲被部
３Ａ  内被部
３Ｂ  外被部
４    弾性部材
５，６  規制手段
７    固定ベルト
８    留め金具
９    面ファスナー
１０  紐通し孔
１２  紐
１３  保持ベルト
３０，３１  舌状片
３２，３３  入口
３４  空間部
【図１】
2006198018.tif 000003
【図２】
2006198018.tif 000004
【図３】
2006198018.tif 000005
【図４】
2006198018.tif 000006
【図５】
2006198018.tif 000007
【図６】
2006198018.tif 000008
【図７】
2006198018.tif 000009
【図８】
2006198018.tif 000010